(57)【要約】【課題】蓄電池パックの残存放電容量を容易に均等にすることで、信頼性が高く、保守作業を簡便に行うことができる蓄電池装置と、その蓄電池装置に用いる分圧器を提供することを目的とする。【解決手段】蓄電池ユニット１は、直列に接続された蓄電池パック１１，１２，１３，１４を有している。分圧器２は、蓄電池ユニット１に接続され、外部回路から各蓄電池パックに印加される電圧を分圧する。分圧器２は、蓄電池パック１１〜１４のそれぞれに並列に接続される抵抗器２１，２２，２３，２４を有する。蓄電池パック１１〜１４と抵抗器２１〜２４は、端子台３１，３２，３３，３４，３５により切り離し可能に接続されている。【選択図】図１
2015033231.tif 000002
【特許請求の範囲】
【請求項１】
直列に接続された複数の蓄電池モジュールを有し、外部回路に対して充放電を行う蓄電池ユニットと、
前記複数の蓄電池モジュールのそれぞれに並列に接続される複数の抵抗器を有し、外部回路から各蓄電池モジュールに印加される電圧を分圧する分圧器と、
前記複数の蓄電池モジュールと前記複数の抵抗器とを切り離し可能に接続する接続手段と、を備えることを特徴とする蓄電池装置。
【請求項２】
前記分圧器は、当該分圧器の両端及び各抵抗器間の接続点に接続する複数の導線と、各導線の先端に設けられたコネクタと、を更に有し、
前記接続手段は、隣接する蓄電池モジュールを相互に接続し、かつ両端に位置する蓄電池モジュールを外部回路に接続する端子台であり、当該端子台には、前記分圧器のコネクタを接続可能な端子部が設けられていることを特徴とする請求項１記載の蓄電池装置。
【請求項３】
前記分圧器は、前記抵抗器を内部に収容する筐体を更に有し、
前記筐体には、前記複数の導線を筐体内部から筐体外部へ導出させる導出孔が設けられていることを特徴とする請求項２記載の蓄電池装置。
【請求項４】
前記端子部は、前記端子台から突出して設けられた導片を有し、
前記分圧器のコネクタは、前記導片を挟持可能な挟持部材であることを特徴とする請求項２又は３記載の蓄電池装置。
【請求項５】
前記分圧器のコネクタは、圧着端子であり、
前記端子部は、前記圧着端子を固定するネジ孔及びネジ部材を有することを特徴とする請求項２又は３記載の蓄電池装置。
【請求項６】
前記接続手段は、前記蓄電池ユニットと前記分圧器との接続及び遮断を切り換えるスイッチであることを特徴とする請求項１記載の蓄電池装置。
【請求項７】
前記抵抗器には、当該抵抗器の両端に所定値以上の電圧が印加されると発光する発光素子が並列に接続されることを特徴とする請求項１〜６のいずれか一項に記載の蓄電池装置。
【請求項８】
直列に接続された複数の蓄電池モジュールを有し外部回路に対して充放電を行う蓄電池ユニットに接続され、外部回路から各蓄電池モジュールに印加される電圧を分圧する分圧器であって、
前記複数の蓄電池モジュールのそれぞれに並列に接続される複数の抵抗器と、
両端に位置する抵抗器及び各抵器抗間の接続点に接続する複数の導線と、
各導線の先端に設けられ、前記複数の蓄電池モジュールに切り離し可能に接続されるコネクタと、
を備えることを特徴とする分圧器。
【請求項９】
前記複数の抵抗器を収容する筐体を更に有し、
当該筐体には、前記複数の導線を筐体内部から筐体外部へ導出させる導出孔が設けられていることを特徴とする請求項８記載の分圧器。
【発明の詳細な説明】
【技術分野】
【０００１】
本発明の実施形態は、蓄電池装置と蓄電池装置に用いられる分圧器に関する。
【背景技術】
【０００２】
近年、分散電源として蓄電池装置を備えたマンションや一戸建て等の住宅が増加している。蓄電池装置は、複数の蓄電池パックが直列、並列に接続された構成となっている。この蓄電池パックの直列回路が電力変換回路を介して、宅内の低圧の交流配線に接続され、宅内交流配線に対する充放電を行う。
【先行技術文献】
【特許文献】
【０００３】
【特許文献１】特許第３９４６３９１号公報
【特許文献２】特許第３８０９５４９号公報
【特許文献３】特許第３６８８６２２号公報
【発明の概要】
【発明が解決しようとする課題】
【０００４】
各蓄電池パックには電圧計測手段が設けられており、蓄電池パックの計測電圧に基づいて充放電の制御が行われる。すなわち、充電時には、いずれかの蓄電池パックにおいて、満充電を示す電圧が検出されると、充電動作を終了する。これは、過充電による液漏れ等の問題を防止するためである。同様に、放電時には、いずれかの蓄電池パックにおいて、放電完了を示す電圧が検出されると、放電動作を終了する。
【０００５】
蓄電池パックは直列に接続されているため、直列回路を通過する電流は常に等しく、充放電動作において、各蓄電池パックの残存放電容量は、ほぼ同量で増加及び減少をすることになる。したがって、図７に示すように、複数の蓄電池パックの残存放電容量が均等である場合は、すべての蓄電池パックを、残存放電容量が１００％になるまで充電することができる。また、放電時においても、すべての蓄電池パックを残存放電容量が０％になるまで放電することができ、蓄電池パックの合計容量分の電力量を充放電することができる。
【０００６】
しかしながら、例えば、１つの蓄電池パックに不具合が生じた場合、それを新しい蓄電池パックに交換することとなる。その際、既存の蓄電池パックと交換した蓄電池パックの残存放電容量にバラつきが生じることがある。バラつきが生じた状態で充放電動作を行うと、複数の蓄電池パックを合計した電力量を充放電できない問題が生じる。
【０００７】
一例として、図８に、既存の蓄電池パック１１，１２，１４の残存放電容量が０％で、交換した蓄電池パック１３の残存放電容量が５０％である場合を示している。ここで充電動作を開始すると、蓄電池パック１３が他の電池より先に１００％まで充電されてしまう。この時点で充電動作が終了するため、蓄電池パック１１，１２，１４は５０％までしか充電されない。この場合は、蓄電池装置は次に放電を行う際、蓄電池パック１１〜１４の合計電力量分の放電ができなくなってしまう。
【０００８】
また、別の例として、図９に、既存の蓄電池パック１１，１２，１４の残存放電容量が１００％で、交換した蓄電池パック１３の残存放電容量が５０％である場合を示している。ここで放電動作を開始すると、交換した蓄電池パック１３が既存の蓄電池パック１１，１２，１４より先に０％まで放電されてしまう。この時点で放電動作が終了するため、既存の蓄電池パック１１，１２，１４に残存しているそれぞれ５０％の残存放電容量は放電されない。
【０００９】
以上の２つの例からわかるように、蓄電池パックの残存放電容量が均等でないと、蓄電池装置は本来の蓄電池パック４台分の電力量を充放電できないことになってしまう。
【００１０】
このような問題を防ぐために、既存の蓄電池パックの残存放電容量と同じとなるように、交換用の蓄電池パックの残存放電容量を工場出荷時に調整することが考えられる。しかしながら、工場出荷から交換までに、交換用蓄電池パックの充電量が減少してしまうこともある。また、定期の保守点検において蓄電池パックの交換が必要となった場合には、事前に既存の蓄電池パックの残存放電容量を把握しておくことは容易ではない。
【００１１】
他にも、交換作業の際に外部電源を用意して全ての蓄電池パックの残存放電容量を均等にすることも考えられる。しかしながら、現地でそのような精密な調整を行うことは、保守作業時間を長引かせてしまう可能性もある。
【００１２】
本実施形態は、上述のような問題を鑑みてなされたものであり、複数の蓄電池パックの残存放電容量を容易に均等にすることで、交換や保守作業を簡便に行うことができ、また蓄電池パックの電力量分の充放電を行うことができる信頼性の高い蓄電池装置と、蓄電池装置に用いる分圧器を提供することを目的とする。
【課題を解決するための手段】
【００１３】
上記の目的を達成するために、本実施形態の蓄電池装置は、直列に接続された複数の蓄電池モジュールを有し、外部回路に対して充放電を行う蓄電池ユニットと、前記複数の蓄電池モジュールのそれぞれに並列に接続される複数の抵抗器を有し、外部回路から各蓄電池モジュールに印加される電圧を分圧する分圧器と、前記複数の蓄電池モジュールと前記複数の抵抗器とを切り離し可能に接続する接続手段と、を備える。
【００１４】
また、本実施形態の分圧器は、直列に接続された複数の蓄電池モジュールを有し外部回路に対して充放電を行う蓄電池ユニットに接続され、外部回路から各蓄電池モジュールに印加される電圧を分圧する分圧器であって、前記複数の蓄電池モジュールのそれぞれに並列に接続される複数の抵抗器と、両端に位置する抵抗器及び各抵抗器間の接続点に接続する複数の導線と、各導線の先端に設けられ、前記複数の蓄電池モジュールに切り離し可能に接続されるコネクタと、を備える。
【図面の簡単な説明】
【００１５】
【図１】第１の実施形態に係る蓄電池装置及び分圧器の構成を示す図である。
【図２】分圧器と切り離された状態の蓄電池ユニットの構成を示す図である。
【図３】分圧器の具体的構成と、蓄電池ユニットとの接続態様を示す図である。
【図４】蓄電池パックの交換によって、残存放電容量にバラつきが生じた状態を示す図である。
【図５】第２の実施形態に係る蓄電池装置及び分圧器における、分圧器の具体的構成と蓄電池ユニットとの接続態様を示す図である。
【図６】第３の実施形態に係る蓄電池装置及び分圧器の構成を示す図である。
【図７】蓄電池パックの残存放電容量が均等な場合の充放電動作を示す図である。
【図８】蓄電池パックの残存放電容量にバラつきがある場合の充電動作を示す図である。
【図９】蓄電池パックの残存放電容量にバラつきがある場合の放電動作を示す図である。
【発明を実施するための形態】
【００１６】
以下、本発明に係る蓄電池装置及び分圧器の実施形態について、添付図面を参照して説明する。
（第１の実施形態）
（構成）
第１の実施形態の蓄電池装置と、蓄電池装置に用いられる分圧器の構成について、図１〜図３を参照して説明する。
【００１７】
蓄電池装置は、外部回路である宅内交流配線（不図示）に接続し、宅内交流配線に対して充放電を行う蓄電池ユニット１を有する。また、この蓄電池ユニット１に接続され、宅内交流配線から蓄電池ユニット１へ印加される電圧を分圧する分圧器２を有している。蓄電池ユニット１と分圧器２とは、接続手段３によって、切り離し可能に接続されている。
【００１８】
図２は、分圧器２との接続が切り離された状態の蓄電池ユニット１を示している。蓄電池ユニット１は、直列に接続された複数の蓄電池パック１１，１２，１３，１４と、蓄電池パック１１〜１４の充放電電力の変換を行う電力変換回路１５を備えている。蓄電池パック１１〜１４と電力変換回路は筐体（不図示）に収納され、宅内に設置されている。筐体には開閉部が設けられており、この開閉部を開いて蓄電池パック１１〜１４の交換や電力変換回路の点検を行う。
【００１９】
本実施形態では、蓄電池ユニット１が４つの蓄電池パック１１〜１４を備えている例を説明する。蓄電池パック１１〜１４はそれぞれ、互いに直列又は並列に接続された複数の蓄電池セルを内蔵している。これらの蓄電池パック１１〜１４は、蓄電池モジュールとして、一定の定格電圧及び定格電流を出力可能な単位となる。
【００２０】
図３に示すように、蓄電池パック１１〜１４の隣接するもの同士は、端子台３１，３２，３３，３４，３５によって相互に接続されている。すなわち、蓄電池パック１１と１２は端子台３２によって、蓄電池パック１２と１３は端子台３３によって、蓄電池パック１３と１４は端子台３４によって、それぞれ相互に接続されている。具体的には、各蓄電池パック１１〜１４の両端に導線であるケーブル４が取り付けられ、各ケーブル４の先端にコネクタである丸型圧着端子５が取り付けられている。この丸型圧着端子５を端子台３１〜３５の端子部３６に取り付ける。これによって、４つの蓄電池パック１１〜１４による直列回路が形成される。
【００２１】
なお、両端に位置する蓄電池パック１１，１４と電流変換回路１５との間も、それぞれ端子台３１，３５を介して接続されている。
【００２２】
端子台３１〜３５は、基台上にネジ孔とネジ部材とからなる複数の端子部３６が設けられた構成となっている。基台内部には、各端子部が他の端子部と導通するように、導体が配置されている。蓄電池パック１１〜１４の丸型圧着端子５の丸孔にネジを通し、ネジをネジ孔に螺合させることによって、丸型圧着端子５は、端子台３１〜３５に固定される。
【００２３】
各端子台には、隣接する蓄電池パックの丸型圧着端子５を１つずつ取り付ける必要があるため、このネジ孔とネジ部材とからなる端子部３６は、少なくとも２以上設けられていると良い。本実施形態では、６つの端子部３６を有する端子台を用いており、４つは空き端子となっている。
【００２４】
また、端子台３１〜３５の基台の周縁には、別の端子部として、導体で構成された導片３７が取り付けられている。導片３７は少なくとも一部が基台から上方に突出しており、後述する分圧器２のコネクタが接続可能となっている。
【００２５】
図示していないが、各蓄電池パック１１〜１４には、電圧計測回路が並列に接続されている。各蓄電池パック１１〜１４の両端の電圧を計測することによって、蓄電池パック１１〜１４の残存放電容量を判断することが可能である。
【００２６】
図２に示すように、蓄電池パック１１〜１４の直列回路と電流変換回路１５は、直流開閉器１６，１７を介して接続されている。直流開閉器１６，１７の開閉により、蓄電池パック１１〜１４の直列回路と電流変換回路１５の接続及び遮断を切り換える。電流変換回路１５は、また、交流開閉器６，７および交流端子８を介して宅内の交流配線に接続する。電流変換回路１５は、ＤＣ／ＤＣコンバーター回路１８、インバーター回路１９及びＡＣフィルター回路２０を有する。
【００２７】
ＤＣ／ＤＣコンバーター回路１８は、蓄電池パック１１〜１４から放電される直流電力の電圧を変換して、インバーター回路１９に出力する。さらに、宅内交流配線から供給され、インバーター回路１９を介して交流から直流に変換された電力の電圧を変換して、蓄電池パック１１〜１４の直列回路に出力する。
【００２８】
具体的には、放電時において、蓄電池の直列回路から出力された電荷がＤＣ／ＤＣコンバーター回路１８のコンデンサに蓄えられる。ＤＣ／ＤＣコンバーター回路１８、トランジスタースイッチング素子を用いてリアクトルに断続的に電流を供給することによって、リアクトルの両端に高い電圧を発生させる。これをさらに別のコンデンサに充電して、入力の直流電圧よりも高い直流電圧に変換して、インバーター回路１９に出力する。充電時には、放電時とは逆方向に電流が流れるように動作して直流電圧の変換を行う。
【００２９】
インバーター回路１９は、トランジスタースイッチング素子が導通するタイミングを制御することによって、ＤＣ／ＤＣコンバーター回路１８から出力された直流電力を交流電力に変換し、ＡＣフィルター回路２０を介して宅内の交流配線に出力する。また、充電時には、ＡＣフィルター回路２０から入力された交流電力を直流電力に変換して、ＤＣ／ＤＣコンバーター回路１８に出力する。
【００３０】
ＡＣフィルター回路２０は、インバーター回路１９に接続し、放電時においてインバーター回路１９で直流から交流に変換した電流の高調波歪みを除去して交流電流波形を作り、交流配線に出力する。
【００３１】
図３に示すように、分圧器２は、蓄電池パック１１，１２，１３，１４と同数の４つの抵抗器２１，２２，２３，２４を有している。４つの抵抗器２１〜２４は直列に接続され、筐体２５の内部に収容されている。
【００３２】
隣接する抵抗器の接続点にはケーブル２６が接続されている。両端に位置する抵抗器２１，２４にもケーブル２６が接続されている。各ケーブル２６先端には、コネクタであるわに口クリップ２８が取り付けられている。わに口クリップ２８は挟持部と把持部を有し、挟持部を持って挟持部を開閉することにより物を挟み込むことができる。筐体２５の、両端部分と、隣接する抵抗器の接続点に近接する部分にはそれぞれ導出孔２７が形成されている。各ケーブル２６は、近接する導出孔２７を通って、筐体２５内部から外部へ導出されている。
【００３３】
図３に示すように、各ケーブル２６のわに口クリップ２８で、上述した各端子台３１，３２，３３，３４，３５の導片３７の突出した部分を挟持することによって、各抵抗器２１，２２，２３，２４は、各蓄電池パック１１，１２，１３，１４に並列に接続される。これによって、図１に示すように、分圧器２と蓄電池ユニット１とが接続した状態となる。すなわち、端子台３１〜３５は、蓄電池パック１１〜１４を直列に接続し、蓄電池パック１１〜１４と電流変換回路１５を接続する手段であると同時に、蓄電池パック１１〜１４と抵抗器２１〜２４とを切り離し可能に接続する接続手段３でもある。蓄電池ユニット１に接続された分圧器２は、蓄電池装置における分圧回路となり、蓄電池パック１１〜１４に印加される電圧は各抵抗器２１〜２４によって均等に分圧される。
【００３４】
抵抗器２１〜２４には、それぞれの両端の電圧が所定値以上印加されると点灯するＬＥＤ表示灯（不図示）が並列に接続されている。所定値を、蓄電池パック１１〜１４が満充電となる電圧に設定することによって、ＬＥＤ表示灯は、分圧器２が蓄電池ユニット１に接続されている状況において、各蓄電池パック１１〜１４の充電完了をユーザに報知する手段となる。
【００３５】
蓄電池装置には、不図示の制御部が設けられている。制御部は、電圧計測手段の計測値に基づいて、蓄電池パック１１〜１４と電力変換回路との間に設けられた直流開閉器１６，１７と、電力変換回路と宅内交流配線の間に設けられた交流開閉器６，７の開閉を制御し、蓄電池の充放電動作を制御する。作用の説明において後述するが、本実施形態では、分圧器２を切り離した状態と接続した状態とでは、制御部の充放電動作の制御を変更するように設定されている。
【００３６】
（作用）
本実施形態の蓄電池装置の作用について、まず、通常運転時の充放電動作を説明する。通常運転時には、図２に示すように、分圧器２は蓄電池ユニット１から切り離されている。充電動作時において、宅内交流配線から供給された交流電力は、インバーター回路１９において直流電力に変換され、ＤＣ／ＤＣコンバーター回路１８において電圧変換され、各蓄電池パック１１〜１４に充電される。このとき、分圧器２は接続されていないため、充電電圧は分圧されることなく全て蓄電池パック１１〜１４に印加される。制御部は、電圧計測手段で計測された各蓄電池パック１１〜１４の計測電圧を参照する。いずれかの蓄電池パックの計測電圧が満充電電圧値になると、制御部は、直流開閉器１６，１７と交流開閉器６，７を開にして、充電動作を終了する制御を行う。これによって、過充電による液漏れ等の障害が防止される。
【００３７】
一方、放電動作時において、蓄電池パック１１〜１４に充電された直流電力は、ＤＣ／ＤＣコンバーター回路１８において電圧値変換され、インバーター回路１９において交流電力に変換され、さらにＡＣフィルター回路２０で正弦波状の交流波形に整形されて宅内の交流配線に出力される。制御部は、いずれかの蓄電池パックの計測電圧が放電終了電圧値になると、直流開閉器１６，１７及び交流開閉器６，７を開にして、放電動作を終了する制御を行う。
【００３８】
次に、保守運転時の充電動作について説明する。保守運転は、ここでは、蓄電池パック１１〜１４の残存放電容量にバラつきが生じたときに、残存放電容量を均等化するために、分圧器２を蓄電池ユニット１に接続して運転を行うことを意味する。例えば、作業員が蓄電池装置の保守点検を行って蓄電池パック１３の不具合を発見し、これを新品のものに交換すると、図４に示すように、新品の蓄電池パック１３の残存放電容量と既存の蓄電池パック１１，１２，１４の残存放電容量にバラつきが生じることがある。
【００３９】
このような場合には、作業員は蓄電池パック１３の交換後に、図３に示すように、分圧器２のわに口クリップ２８で端子台３１〜３５の導片３７をそれぞれ挟み、分圧器２の各抵抗器２１〜２４を各蓄電池パック１１〜１４に並列に接続させ、充電動作を開始させる。
【００４０】
宅内交流配線から供給された交流電力は、インバーター回路１９において直流電力に変換されて、蓄電池パック１１〜１４に充電される。ここで、蓄電池パック１１〜１４に印加される電圧は、並列に接続された抵抗器２１〜２４によって均等に分圧される。
【００４１】
制御部は、通常運転時とは異なり、保守運転時には、全ての蓄電池パック１１〜１４から満充電電圧が検出された場合に充電動作を終了するように制御を行う。すなわち、図４の例では、交換時において残存放電容量が５０％である蓄電池パック１３が、残存放電容量が２５％の既存の蓄電池パック１１，１２，１４よりも先に満充電になるが、充電動作は終了されない。残りの蓄電池パック１１，１２，１４が満充電になるまで充電動作は継続される。
【００４２】
ここで、蓄電池パック１３に並列に接続された抵抗器２２によって、蓄電池パック１３に印加される電圧は分圧される。また、満充電となった蓄電池パック１３の内部抵抗よりも、まだ満充電となっていない蓄電池パック１１，１２，１４の内部抵抗の方が低いため、蓄電池パック１１，１２，１４により多くの電流が流れることになる。したがって、蓄電池パック１３への過充電による液漏れ等の問題は低減される。
【００４３】
制御部は、蓄電池パック１１〜１４における計測電圧値が、全て満充電電圧値となったところで、直流開閉器１６，１７及び交流開閉器６，７を開にして、充電動作を終了する制御を行う。各抵抗器２１〜２４に接続されているＬＥＤ表示灯は、満充電電圧を検知すると点灯するため、保守作業を行っている作業員は、充電動作の終了を知ることができる。作業員は、わに口クリップ２８を端子台３１〜３５から取り外して作業を完了する。分圧器２が取り外されると、制御部は通常運転時の充放電制御に切り換える。
【００４４】
（効果）
（１）本実施形態の蓄電池装置は、直列に接続された複数の蓄電池モジュールとして、蓄電池パック１１〜１４を有し、宅内の交流配線に対して充放電を行う蓄電池ユニット１を備えている。また、蓄電池装置は、蓄電池ユニット１に接続され、外部回路から各蓄電池パック１１〜１４に印加される電圧を分圧する分圧器２を備えている。この分圧器２は、複数の蓄電池パック１１〜１４のそれぞれに並列に接続される抵抗器２１〜２４を有するものである。さらに、蓄電池装置は、蓄電池パック１１〜１４と抵抗器２１〜２４とを切り離し可能に接続する接続手段３として、端子台３１〜３５を備えている。
【００４５】
蓄電池の保守作業において、不具合の生じた蓄電池パックを交換すると、各蓄電池パック１１〜１４の残存放電容量にバラつきが生じることがある。このバラつきを解消するために、全ての蓄電池パック１１〜１４を満充電になるまで充電すると、先に満充電となった蓄電池パックが過充電されて液漏れ等が生じる可能性がある。本実施形態では、分圧器２を接続して充電作業を行うことによって、蓄電池パック１１〜１４に印加される電圧が分圧されるため、過充電を防止しながら、容易に各蓄電池パック１１〜１４の残存放電容量を均等にすることができる。これによって、蓄電池パック１１〜１４の合計電力分の充放電を行うことができる、信頼性の高い蓄電池装置を提供することができる。
【００４６】
さらに、保守作業の前に交換用の蓄電池パックの残存放電容量を調整しておく必要がない。また、現場の作業においても、全ての蓄電池パック１１〜１４を満充電電圧まで充電する容易な作業で済むため、現場での精密な調整は必要なく、保守作業の時間を短縮することができる。
【００４７】
なお、蓄電池パックに交換が必要となる不具合がなくとも、使用を継続していると残存放電容量にバラつきが生じる場合もある。そのような場合も、作業員がメンテナンスとして分圧器２を接続して充電作業を行うことによって残存放電容量を均等にすることができ、蓄電池装置の安定した使用が可能となる。
【００４８】
また、通常運転時に分圧器２が蓄電池ユニット１に接続されていると、分圧されることによって電力のロスが生じてしまうが、本実施形態では、端子台３１〜３５によって蓄電池ユニット１と分圧器２は切り離し可能に接続されているため、通常運転時には分圧器２を切り離しておくことができ、利便性が高い。
【００４９】
（２）隣接する蓄電池パックを相互に接続し、かつ両端に位置する蓄電池パック１１，１４を外部回路に接続する端子台３１〜３５を、分圧器２と蓄電池ユニット１の接続手段３として用いることによって、作業員が保守作業を行う際の部品点数を減らすことができ、作業効率を向上させることができる。近年、蓄電池装置を備えた住宅の増加が見込まれており、定期の保守作業の必要性も高まっている中、このように保守作業の効率を向上させることは、蓄電池装置自体の商品価値を大きく高めるものである。
【００５０】
（３）本実施形態では、分圧器２の両端と各抵抗器２１，２２，２３，２４間にケーブル２６が接続され、さらに各ケーブル２６の先端にコネクタとしてわに口クリップ２８が取り付けられている。そして、接続手段３である端子台３１〜３５は、ネジ孔とネジ部材とからなる端子部３６に加えて、端子台３１〜３５から突出する導片３７が、別の端子部として設けられている。わに口クリップ２８でこの導片３７を挟むことによって、分圧器２を蓄電池ユニット１に容易に接続することができるため、作業効率をより向上させることができる。
【００５１】
また、わに口クリップ２８が導片３７を挟み込むため、接触面積を大きく取ることができる。電池パックの残存放電容量が少ないときに充電を行うと急激に電流が流れるため、接触部分が発熱するが、接触面積が大きいと高温になりにくいため、安全性が高い。充電動作後も、把持部を持って取り外すことができるため、発熱する部分に触れることなく、安全にかつ容易に取り外すことができる。また、わに口クリップ２８は導片３７をしっかりと挟み込むことができるため、例えば作業中に作業員がわに口クリップ２８に接触してしまっても外れにくい。
【００５２】
（４）分圧器２は、筐体２５内部に抵抗器２１，２２，２３，２４を収容したものであり、筐体２５には、複数のケーブル２６を筐体２５内部から筐体２５外部へ導出させる導出孔２７が形成されている。抵抗器の個数が蓄電池パックに合わせて増加した場合でも、筐体２５に一体的に収容されているため、作業員が持ち運びやすい。また、筐体２５に収容されていることによって、抵抗器２１〜２４を外部から保護することができるため、分圧器２としての信頼性も向上させることができる。同時に、わに口クリップ２８が接続されているケーブル２６の先端側は導出孔２７を通って外部に露出しているため、分圧器２の接続作業は、この外部に出ているわに口クリップ２８を端子台３１〜３５に接続するだけで済み、利便性が高い。
【００５３】
（５）抵抗器２１，２２，２３，２４には、抵抗器の両端に所定値以上の電圧、例えば満充電電圧が印加されると発光する発光素子として、ＬＥＤ表示灯が並列に接続されている。これによって作業員は充電動作の終了をすぐに知ることができ、作業時間の短縮に繋がる。
【００５４】
（第２の実施形態）
（構成及び作用）
次に第２の実施形態について、図５を参照して説明する。
なお、この第２の実施形態では、前述の第１実施形態とは異なる点のみを説明し、前述の第１実施形態と同じ部分については同じ符号を付して詳細な説明は省略する。
【００５５】
第１の実施形態では、分圧器２のコネクタとして、各ケーブル２６の先端にわに口クリップ２８が取り付けられていた。図５に示すように、第２の実施形態では、蓄電池パック１１〜１４のコネクタと同じ丸型圧着端子２９を、分圧器２のコネクタとして取り付けている。
【００５６】
丸型圧着端子２９も、わに口クリップ２８の場合と同様に、蓄電池ユニット１の端子台３１，３２，３３，３４，３５に取り付けることで、分圧器２と蓄電池ユニット１を接続する。ただし、わに口クリップ２８は端子台３１〜３５から突出する導片３７に取り付けていたが、丸型圧着端子２９は端子台３１〜３５上面に設けられている端子部３６のうち、蓄電池パック１１〜１４の丸型圧着端子５が取り付けられていない４つの空き端子部３６のいずれかに取り付ける。具体的には、丸型圧着端子２９の丸孔にネジを通し、ネジをネジ孔に螺合させることによって、丸型圧着端子２９が、端子台３１〜３５に固定される。これによって、各抵抗器２１〜２４が各蓄電池パック１１〜１４に並列に接続される。
【００５７】
（効果）
分圧器２のコネクタとして丸型圧着端子２９を用いることによって、端子台３１〜３５に強固に固定することができるため、作業時の接触等により、コネクタが外れて分圧器２と蓄電池ユニット１の接続が解除されてしまうことを、確実に防止することができる。
【００５８】
（第３の実施形態）
（構成及び作用）
次に第３の実施形態について、図６を参照して説明する。
なお、この第３の実施形態では、前述の第１実施形態とは異なる点のみを説明し、前述の第１実施形態と同じ部分については同じ符号を付して詳細な説明は省略する。
【００５９】
第１及び第２の実施形態では、分圧器２を作業員が持ち運び、保守作業時のみ蓄電池ユニット１に接続させることを想定し、分圧器２を蓄電池ユニット１とは別の筐体２５に収容していた。本実施形態では、分圧器２の各抵抗器２１，２２，２３，２４は、蓄電池ユニット１の各蓄電池パック１１，１２，１３，１４と予めケーブルにより接続されている。そのため、分圧器２と蓄電池ユニット１は同じ筐体に収容されている。各抵抗器２１〜２４と各蓄電池パック１１〜１４とを接続するケーブルには、接続手段３としてスイッチ回路３９が設けられている。制御部がこのスイッチ回路３９を開閉することにより、分圧器２と蓄電池ユニット１の接続及び遮断が切り換えられる。
【００６０】
通常運転時は、スイッチ回路３９を開にすることによって、分圧器２と蓄電池ユニット１の接続を切り離しておく。保守運転時には、スイッチ回路３９を閉にすることによって、分圧器２と蓄電池ユニット１を接続させる。
【００６１】
（効果）
蓄電池装置の設置スペースに余裕がある住宅では、分圧器２を蓄電池ユニット１と予め接続しておくことで、分圧器２を持ち運ぶ手間を省くことができ、利便性が高い。また、分圧器２と蓄電池ユニット１の間にスイッチ回路３９を設けることによって、通常運転時は接続を遮断することができ、蓄電池パック１１〜１４に印加される電圧が分圧されることによる電力のロスを防止することができる。
【００６２】
（その他の実施形態）
（１）上述の実施形態では、分圧器２のコネクタとして、わに口クリップ２８や丸型圧着端子２９を説明したが、これらに限られない。他にも、Ｃ型圧着端子やバナナクリップ等の、比較的容易な作業で接続及び切り離しを切り換えられることができる種々のコネクタを用いることができる。また、分圧器２のコネクタの種別に応じて、端子台３１，３２，３３，３４，３５の端子部３６も適宜変形すると良い。
【００６３】
（２）上述の実施形態では、保守作業時において蓄電池パック１１〜１４の充電完了を作業員に報知する手段として、発光素子のＬＥＤ表示灯を設けていたが、これに限られない。検出電圧が満充電電圧になったときに、アラーム音を発するアラーム装置を設けても良い。
【００６４】
（３）上述の実施形態では、主に住宅に設置される蓄電池装置について説明したが、これに限られない。オフィスビルや商業施設、工場施設等に分散電源として設置される蓄電池装置にも、上述の実施形態は適用可能である。
【００６５】
（４）本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６６】
１  蓄電池ユニット
２  分圧器
３  接続手段
４，２６  ケーブル
５，２９  丸型圧着端子
６，７  交流開閉器
８  交流端子
１１，１２，１３，１４  蓄電池パック
１５  電力変換回路
１６，１７  直流開閉器
１８  ＤＣ／ＤＣコンバーター回路
１９  インバーター回路
２０  ＡＣフィルター回路
２１，２２，２３，２４  抵抗器
２５  筐体
２７  導出孔
２８  わに口クリップ
３１，３２，３３，３４，３５  端子台
３６  端子部
３７  導片
３９  スイッチ回路
【図１】
2015033231.tif 000003
【図２】
2015033231.tif 000004
【図３】
2015033231.tif 000005
【図４】
2015033231.tif 000006
【図５】
2015033231.tif 000007
【図６】
2015033231.tif 000008
【図７】
2015033231.tif 000009
【図８】
2015033231.tif 000010
【図９】
2015033231.tif 000011